Podtech/llm-jp-corpus-v4-ja_patent huggingface dataset:
(57)【要約】【課題】  本発明は、専門的且つ細分化された作業毎に担当の割り振りを要するものであっても、容易且つ確実に対応できるゼッケンを提供することにある。【解決手段】  作業者１０が着用したときに、保持部材４ａ、４ｂにより身体の前面側と背面側にそれぞれ位置する識別部１ａ、１ｂを備えるゼッケンであって、前記識別部１ａ、１ｂは、上側又は左右側に出入口５を有する筒状又は袋状の収容部２を備えており、収容部２は、前記出入口５から文字や絵柄などを表示する表示シート３ａ、３ｂを出し入れ自在であると共に、透明又は半透明に形成してあることを特徴とする。【選択図】      図１（ａ）（ｂ）
2009256840.tif 000002
【特許請求の範囲】
【請求項１】
作業者（１０）が着用したときに、保持部材（４ａ、４ｂ）により身体の前面側と背面側に位置する識別部（１ａ、１ｂ）をそれぞれ備えるゼッケンであって、
前記識別部（１ａ、１ｂ）は、上側又は左右側に出入口（５）を有する筒状又は袋状の収容部（２）を備えており、
収容部（２）は、前記出入口（５）から文字や絵柄などを表示する表示シート（３ａ、３ｂ）を出し入れ自在であると共に、透明又は半透明に形成してあることを特徴とするゼッケン。
【発明の詳細な説明】
【技術分野】
【０００１】
本発明は、工事作業者が着用するゼッケンに関する。
【背景技術】
【０００２】
電気工事の現場では作業の危険性や特異性が高く、電気事業者間で作業者の熟練度や精度の向上を図る観点から、作業者の実技試験が頻繁に行われていた。その中で審査官が複数の作業者の担当を一目で識別できるように、前面側と背面側に識別手段となる文字や絵柄がプリントされたゼッケンを着用していた。
【特許文献１】特開平１０−３１７２１９号公報
【発明の開示】
【発明が解決しようとする課題】
【０００３】
しかしながら、電気工事は、前述したように専門的且つ特殊な作業が数多く存在し、実技試験においてはその全ての作業に対応して担当者を割り振る必要があったため、あらかじめ個々の担当に対応したゼッケンを調達することは容易ではなかった。
本発明は、上記課題を鑑みてなされたものであり、専門的且つ細分化された作業毎に担当の割り振りを要するものであっても、容易且つ確実に対応できるゼッケンを提供することにある。
【課題を解決するための手段】
【０００４】
本発明は、作業者が着用したときに、保持部材により身体の前面側と背面側に位置する識別部をそれぞれ備えるゼッケンであって、前記識別部は、上側又は左右側に出入口を有する筒状又は袋状の収容部を備えており、収容部は、前記出入口から文字や絵柄などを表示する表示シートを出し入れ自在であると共に、透明又は半透明に形成してあることを特徴とする。
【発明の効果】
【０００５】
本発明によれば、各種作業に対応する文字や絵柄などがプリントされたゼッケンをあらかじめ用意する必要がなく、その場で担当作業名などを書いた用紙やシートなどを出入口から収容部の中に入れるだけで、収容部が透明又は半透明であることで外から容易に目視できる。これにより、種々の専門的で特殊な数多くの作業にそれぞれ担当者を割り振る場合であっても、容易且つ確実に対応できる。
【発明を実施するための最良の形態】
【０００６】
以下に、図面に基づいて本発明によるゼッケンの実施形態を説明する。
図１（ａ）（ｂ）は、本実施によるゼッケンを作業者が着用した状態を示す斜視図であり、（ａ）は、正面視したもの、（ｂ）は、背面視したものである。図２（ａ）（ｂ）は、収容部の中に表示シートを出し入れするときの状態を示す斜視図であり、（ａ）は、既存の表示シートを取り出すときの状態を示し、（ｂ）は、表示シートを差し替えるときの状態を示すものである。
【０００７】
本実施によるゼッケンは、図１（ａ）（ｂ）に示すように、前面側識別部１ａと、背面側識別部１ｂと、前面側識別部１ａ及び背面側識別部１ｂ間を肩紐４ａ及び腰紐４ｂ（保持部材）とからなり、素材については、比較的軽量であり且つ耐久性の高いターポリン樹脂とポリ塩化ビニルにより形成してある。
前面側識別部１ａ及び背面側識別部１ｂは、横長略矩形状をなす支持シート６と、支持シート６の一面側に取り付けてある収容部２とを有しており、収容部２は、ポリ塩化ビニル製の横長略矩形をなす透明なシート体により透明で且つ左右側に出入口５を有する筒型をなしており、収容部２の上下端縁は支持シート６にウェルダー加工により溶着してあることで、その内部に紙やシートなどを入れることができる。ここで、収容部２と支持シート６との間隔については、隙間をほとんど設けておらず、収容部２の中に表示シート３ａ、３ｂを入れたときには、表示シート３ａ、３ｂが、収容部２と支持シート６の間に挟み込んだ状態で収まる。
【０００８】
肩紐４ａ及び腰紐４ｂ（保持部材）は、前面側識別部１ａと背面側識別部１ｂの上側の左右端部側間の二箇所、及び左右両側の下部側間をそれぞれ繋いでおり、作業者１０の頭部側から被せるようにして着用することで、肩紐４ａと腰紐４ｂが作業者１０の肩と腰をそれぞれ保持することになる。そして、担当作業の変更があったときには、図２（ａ）（ｂ）に示すように、前面側識別部１ａと背面側識別部１ｂのそれぞれの収容部２における左右いずれかの出入口５を手で拡げ、収容部２の中に入れてある表示シート３ａを取り出して、変更された作業に対応した担当名などが表示された別の表示シート３ｂを入れることで対応する。
【０００９】
本発明は、上記の実施形態に限るものではなく、収容部２は、中に入れてある表示シート３ａ、３ｂの文字や絵柄が外から目視できればよいから、半透明のものであってもよい。また、収容部２の出入口５は、上方に設けてあってもよいし、さらに、その出入口５にジッパやホックなどを設けて開け閉め自在にしてもよい。保持部材４ａ、４ｂは、ベルトなであってもよいし、前面側識別部１ａと背面側識別部１ｂが連続的につながるものであってもよく、また、ゴムなどの伸縮性のあるものを使用すれば、作業者１０の身体にフィットして装着感が向上する。また、ゼッケン全体にパンチング加工を施して小さな無数の孔を開け、着用時の通気性を確保してもよい。ゼッケンの支持シート６や肩紐・腰紐（保持部材）３ａ、３ｂの素材については、丈夫で安価であり且つ汗などが付着することから化学的安定なものであればよく、ポリエチレン樹脂やポリオレフィン樹脂など、特に限定するものではない。収容部２の素材は、ポリエチレン樹脂やアクリル系透明樹脂などであってもよい。
【図面の簡単な説明】
【００１０】
【図１（ａ）（ｂ）】本実施によるゼッケンの使用状態を示すものであり、（ａ）は、正面視したものであり、（ｂ）は、背面視したものである。
【図２（ａ）（ｂ）】（ａ）は、既存の表示シートを取り出すときの状態を示す斜視図であり、（ｂ）は、別の表示シートに差し替えるときの状態を示す斜視図である。
【符号の説明】
【００１１】
１ａ  前面側識別部（識別部）
１ｂ  背面側識別部（識別部）
２  収容部
３ａ、３ｂ  表示シート
４ａ  肩紐（保持部材）
４ｂ  腰紐（保持部材）
５  出入口
１０  作業者
【図１（ａ）（ｂ）】
2009256840.tif 000003
【図２（ａ）（ｂ）】
2009256840.tif 000004
(57)【要約】【課題】  靴下がずり落ちるのを防ぐこと。【解決手段】  脚の膝下から足首まで間のふくらはぎ部分に着用する円筒形の靴下止めであって、着用時にふくらはぎを適度に押圧して、脛の部分からずり落ちない程度の弾性を有していることを特徴とする靴下止め。【選択図】図３
2009256851.tif 000002
【特許請求の範囲】
【請求項１】
脚の膝下から足首までの間の脛の部分に着用する円筒形の靴下止めであって、着用時にふくらはぎを適度に押圧して、脛の部分からずり落ちない程度の弾性を有していることを特徴とする靴下止め。
【発明の詳細な説明】
【発明の詳細な説明】
【技術分野】
【０００１】  本発明は、靴下が、ずり落ちるのを防ぐ靴下止めに関するものである。
【背景技術】
【０００２】  従来より、靴下止めは、靴下をガーターベルトで吊り下げるタイプのものと、液体のりで直接皮膚に靴下を接着して固定するタイプのものしかなかった。
【発明の開示】
【発明が解決しようとする課題】
【０００３】  しかし、ガータータイプのものは、脛にガーターを巻きつける構造になっているため、簡単に装着することが困難であり、着けるのに手間取ってしまうことがあるし、長時間装着していると、脛や、ふくらはぎに負担を生じ不快に感じることがある。また、液体のりのタイプのものは、脛の周囲に直接のりを塗って、靴下を接着して固定させているために、足首を動かしたことによって、脛の部分の皮膚が引きつられることになり不快に感じるし、一度剥がれてしまうと再び接着することができない。本発明は、以上のような欠点をなくすることを課題とする。
【課題を解決するための手段】
【０００４】  本発明の靴下止めは、脚の膝下から足首までの間の脛の部分に着用する円筒形の靴下止めであって、着用時にふくらはぎを適度に押圧して、脛の部分からずり落ちない程度の弾性を有していることを特徴とするものである。
【発明の効果】
【０００５】  本発明は、円筒形の伸縮性のある薄い布地で作られている靴下止めであり、脛の部分に、素早く簡単に装着することができ、前記靴下止めの上に靴下を履き重ねることで、靴下止めと靴下との布地どうしの摩擦抵抗を利用した方法で、保持力を高め、靴下のずり落ちを防ぐ効果がある。ガーターベルトを装着しているときや、液体のりを使って接着しているときと違い、脛とふくらはぎにうっとうしさを感じたり、足首を動かしたときに起きる脛の部分の皮膚が引きつられる感覚もなく、不快な思いも違和感もない。また、靴下止めと靴下が外見上一体になって見えるので、スーツを着たビジネスマンに時折見受けられる、足を組んだときにズボンの裾から肌が露出してしまう様なことも無く、審美的に優れているし、また、靴下と同じ様な黒、茶、紺等の基本的な色を揃えておけば、ハイソックス等を購入しなくても、従来、誰もが持っている靴下に充分に対応できるため、非常に経済的である。また、女性の場合では、多彩な色のものや、花や動物といったような柄物等、いろんな種類を揃えておけば、新感覚のファッションとして、楽しんでもらえることも充分に可能なことである。そして、布地自体が弾性を有しているため、ふくらはぎに適度に圧力を加えていることにより、長時間の着用をした場合でも筋肉疲労を軽減する効果がある。
【発明を実施するための最良の形態】
【実施例】
【０００６】  図１は、実施例の靴下止め１を示す。【０００７】  図２は、その着用状態を示す。【０００８】  靴下止め１は、脚２の脛３に着用する円筒形の薄い布であって、着用時にふくらはぎ４を適度に押圧するの弾性を有している。【０００９】  図３は、前記靴下止め１の上から靴下５を履いた状態を示す。靴下５は、靴下止め１の上に重ねられ、そのゴム止め部６と脛部７の部分が、前記靴下止め１と靴下５との布地どうしの摩擦抵抗によって、ずり落ちないように保持されている。靴下止め１の素材は、伸縮性のある化学繊維等で、できており、織り方は、ストッキング等に用いられているメリヤス編み等である。
【図面の簡単な説明】
【００１０】
【図１】  実施例の靴下止めの斜視図である。
【図２】  図１の靴下止めの着用状態を示す側面図である。
【図３】  図２の靴下止めの上から靴下を着用した状態を示す側面図である。
【符号の説明】
【００１１】  １  靴下止め
２  脚
３  脛
４  ふくらはぎ
５  靴下
６  ゴム止め部
７  脛部
【図１】
2009256851.tif 000003
【図２】
2009256851.tif 000004
【図３】
2009256851.tif 000005
(57)【要約】【課題】ビスにより底板を弾性的に、確実かつ安定して窓用枠体に取り付けることができ、さらに、確実な防水機能を有する引き戸用窓枠サッシを提供する。【解決手段】窓用枠体の内面の長手方向に沿って設置される底板と、該底板から上方に一体的に立ち上がって形成されるレール板と、上記底板から上記レール板の内側幅方向に一体的に延設して形成される延長部と、上記底板から上記レール板の外側幅方向で上記窓用枠体の内面方向にやや傾斜するように一体的に形成される密着片と、から構成される。【選択図】図２
2009256895.tif 000002
【特許請求の範囲】
【請求項１】
窓用枠体の内面の長手方向に沿って設置される底板と、該底板から上方に一体的に立ち上がって形成されるレール板と、上記底板から上記レール板の内側幅方向に一体的に延設して形成される延長部と、上記底板から上記レール板の外側幅方向で上記窓用枠体の内面方向にやや傾斜するように一体的に形成される密着片と、から構成されることを特徴とする引き戸用窓枠サッシ。
【請求項２】
上記延長部の長手方向にビス用溝を形成することを特徴とする請求項１に記載の引き戸用窓枠サッシ。
【発明の詳細な説明】
【技術分野】
【０００１】
本発明は、地域の掲示板や、一般の建物の窓等に採用されている引き戸用窓枠サッシに関するものである。
【背景技術】
【０００２】
従来の引き戸用窓枠サッシは、図３（Ａ）に示すように、窓用枠体の内面の長手方向に沿って設置される底板１と、該底板１から上方に一体的に立ち上がって形成される複数のレール板２と、上記底板１から上記レール板２の内側幅方向に一体的に延設して形成される延長部１ａとから構成され、図３（Ｂ）に示すように、該延長部１ａをビス４により窓用枠体Ｆに固定していた。該ビス４は、例えば、中間のレール板２の一部を切り欠いで（図示せず）、その切欠部分に取り付けられることもあった。
【０００３】
しかしながら、上記従来の引き戸用窓枠サッシは、上記ビス４を強く締め付けても底板１が窓用枠体Ｆの内面に確実に密着する保証はなく、逆に、上記ビス４を強く締め付ければ締め付けるほど、該ビス４から離れた底板１の先端部分が窓用枠体Ｆから浮き上がって、隙間Ｇが生じ、その結果、この隙間Ｇから雨水が浸入する虞があった。
【発明の開示】
【発明が解決しようとする課題】
【０００４】
本発明が解決しようとする課題は、ビスにより底板を弾性的に、確実かつ安定して窓用枠体に取り付けることができ、さらに、確実な防水機能を有する引き戸用窓枠サッシを提供することにある。
【課題を解決するための手段】
【０００５】
本発明の引き戸用窓枠サッシは、窓用枠体の内面の長手方向に沿って設置される底板と、該底板から上方に一体的に立ち上がって形成されるレール板と、上記底板から上記レール板の内側幅方向に一体的に延設して形成される延長部と、上記底板から上記レール板の外側幅方向で上記窓用枠体の内面方向にやや傾斜するように一体的に形成される密着片と、から構成されることを特徴とする。また、上記延長部の長手方向にビス用溝を形成することを特徴とする。
【発明の効果】
【０００６】
本発明の引き戸用窓枠サッシは、ビスにより底板を弾性的に、確実かつ安定して窓用枠体に取り付けることができ、さらに、確実な防水機能を有する。
【発明を実施するための最良の形態】
【０００７】
図１は、本発明の引き戸用窓枠サッシの一実施例を示す図であって、１は底板、１ａは延長部、１ｂはビス用溝、２はレール板、３は密着片である。これら底板１，延長部１ａ、レール板２および密着板３は、アルミニウム等の金属により一体形成されている。
【０００８】
上記底板１は、窓用枠体Ｆ（図２参照）の内面の長手方向に沿って設置される板材である。
【０００９】
上記レール板２は、上記底板１から上方に一体的に立ち上がって形成される。該レール板２は、例えばガラス戸等の引き戸（図示せず）をスライド自在にガイドするもので、通常、適宜間隔で複数枚設けられるが、１枚でもよい。
【００１０】
上記延長部１ａは、上記底板１から上記レール板２の内側幅方向に一体的に延設して形成されている。該延長部１ａは、引き戸用窓枠サッシをビス４（図２参照）により窓用枠体Ｆに固定するためのもので、上記底板１の幅寸法に近い幅（好ましくは、底板幅ｂとすると、０．５ｂ〜２ｂ）を有する。
【００１１】
上記ビス用溝１ｂは、上記延長部１ａの長手方向に形成され、ビス４を位置決めし易いようにしている。本実施例では、ビス用溝１ｂを上記レール板２に近い好ましい位置に形成しているが、これに限定するものではなく、ビス４は、延長部１ａの幅方向に複数配置してもよい。上記ビス用溝１ｂは延長部１ａの曲げ強度を損なわないように形成するのが好ましい。
【００１２】
上記密着片３は、上記延長部１ａとは反対側（底板１からレール板２の外側幅方向）の底板１に一体的に延設して形成される。図１からも明らかなように、該密着片３は、底板１の下面側（窓用枠体の内面方向）にやや傾斜するように形成される。該密着片３の先端部は、ほとんど厚みのない、断面が尖った形状が好ましい。
【００１３】
本実施例の引き戸用窓枠サッシは、以上のように構成されているので、図２に示すように、上記底板１を窓用枠体Ｆに沿って載置し、その内側に一体的に延設された延長部１ａを介して、ビス４により取り付ける。この際、底板１から斜め下方に延設された密着片３により、底板１と窓用枠体Ｆの内面との間に隙間Ｓが形成される。
この隙間Ｓを形成させたため、上記ビス４により底板１を適当な締め付け力により弾性的に締め付けることができ、その結果、上記密着片３の先端が窓用枠体Ｆの内面に弾性的に押し付けられて、密着し、効果的な防水機能が発揮される。
【図面の簡単な説明】
【００１４】
【図１】本発明の引き戸用窓枠サッシの一実施例を示す斜視図である。
【図２】図１の引き戸用窓枠サッシの取り付けの説明図である。
【図３】従来の引き戸用窓枠サッシの斜視図（Ａ）およびその取り付け説明図（Ｂ）である。
【符号の説明】
【００１５】
１    底板
１ａ  延長部
１ｂ  ビス用溝
２    レール板
３    密着片
Ｓ、Ｇ  隙間
Ｆ    窓用枠体
【図１】
2009256895.tif 000003
【図２】
2009256895.tif 000004
【図３】
2009256895.tif 000005
(57)【要約】【課題】              軽量で、再利用が容易な紙製材料を用い、椅子、家具、壁構造部，床構造部，屋根裏構造部等の構造物に適用可能な紙製パネルシートおよびこのパネルシートを用いたパネル体を提供することを課題とする。【解決手段】              単層、または複層の紙製基材に熱硬化性樹脂、電子線硬化性樹脂、または紫外線硬化性樹脂から選ばれた樹脂を含浸した基材シートを用いた紙製パネルシート、またはこの紙製パネルシートを用いたパネル体とすることにより解決した。【選択図】 図３
2009256874.tif 000002
【特許請求の範囲】
【請求項１】
紙製基材に熱硬化性樹脂、電子線硬化性樹脂、または紫外線硬化性樹脂から選ばれた樹脂を塗布、含浸した基材シートを用いた紙製パネルシート。
【請求項２】
前記基材シートを複数枚積層したことを特徴とする請求項１に記載の紙製パネルシート。
【請求項３】
前記基材シートを面状部材に用いたことを特徴とする請求項１または２項に記載のパネル体。
【請求項４】
請求項１〜３のいずれか１項に記載のパネルシート、またはパネル体を壁構造部，床構造部，屋根裏構造部などに配設したことを特徴とする家屋。
【請求項５】
請求項１〜３のいずれか１項に記載のパネルシート、またはパネル体を扉部、椅子などに配設したことを特徴とする家具。
【発明の詳細な説明】
【技術分野】
【０００１】
本発明は、紙製パネルシートおよびこのパネルシートを用いた椅子、家具、壁構造部，床構造部，屋根裏構造部等の構造物に関するものである。
【背景技術】
【０００２】
従来から、家屋における壁構造部，床構造部，屋根裏構造部などの各部位に配されるパネルシート、およびこのパネルシートを用いたパネル体が種々提案されている。
【０００３】
しかし、紙素材を用いたパネルシートは、耐水性、各種強度の面で種々の問題があり椅子、家具、壁構造部，床構造部，屋根裏構造部等の構造物の部材として用いられることは極めてまれなことであった。
【発明の開示】
【発明が解決しようとする課題】
【０００４】
本発明の目的は、軽量で、再利用が容易な紙製材料を用い、椅子、家具、壁構造部，床構造部，屋根裏構造部等の構造物に適用可能な紙製パネルシートおよびこのパネルシートを用いたパネル体を提供することである。
【課題を解決するための手段】
【０００５】
本発明は、紙製基材に熱硬化性樹脂、電子線硬化性樹脂、または紫外線硬化性樹脂から選ばれた樹脂を含浸した基材シートを用いた紙製パネルシートである。
【０００６】
また、本発明は、前記基材シートを複数枚積層したことを特徴とする請求項１に記載の紙製パネルシートである。
【０００７】
また、本発明は、前記基材シートを面状部材に用いたことを特徴とする請求項１または２項に記載のパネル体である。
【０００８】
また、本発明は、請求項１〜３のいずれか１項に記載のパネルシート、またはパネル体を壁構造部，床構造部，屋根裏構造部などに配設したことを特徴とする家屋である。
【０００９】
また、本発明は、請求項１〜３のいずれか１項に記載のパネルシート、またはパネル体を扉部、椅子などに配設したことを特徴とする家具である。
【発明の効果】
【００１０】
本発明は上述のように構成したから、前述した従来から提案される技術が持つ問題点を確実に解消し、軽量で一定の強度、硬度を有する極めて商品価値の高い画期的なパネル体、及びこれらを家具、家屋に用いることができる。
【発明を実施するための最良の形態】
【００１１】
本発明の実施形態を、図面に基づいて説明する。
【００１２】
図１に示すように、紙製基材１０に、熱硬化性樹脂、電子線硬化性樹脂、または紫外線硬化性樹脂から選ばれた樹脂を塗布、含浸した基材シートを用いた紙製パネルシート１１である。
ここで、前記紙製基材１０は、単独の材料からなり、この材料に樹脂を塗布、含浸し、硬化した状態で所定の強度および高度を保持できる厚さを有するものを用いる。
【００１３】
図１に示すように単独の紙製基材で一定の強度を保持するばかりでなく、図２に示すように、前記紙製基材１０を複数枚重ね合わせ、一定の強度を保つ構成の紙製パネルシート１１としてもよい。
【００１４】
そして、前記パネルシートを適用する具体例として、図３に示すように、前記パネルシート１１を表裏の面状部材１２、１３として用い、この面状部材１２、１３の間に、複数枚の補強部材１５を配置し、一体化したパネル体２０として使用することができる。
また、図３に示すように、パネル体２０とすることで、面状部材１２、１３間に一定の空間を形成することができ、壁構造部，床構造部，屋根裏構造部などに適用した場合、断熱効果も発揮することができる。
【００１５】
前記紙製パネルシートを適用する具体例として、図４に示すように、エネルギーを加えることで硬化する樹脂を塗布、含浸した紙製パネルシート１１を加熱成形して、椅子の座部３０と背もたれ部３１を備えた本体３２を製造することができる。
そして、この本体３２に脚部３３を取り付けることにより、椅子３５として使用することができる。
【００１６】
前記紙製基材に塗布、含浸する樹脂は、具体的に、電子線硬化樹脂としては、例えば、分子末端にアクリル基もしくはメタクリル基を有しており、ポリエステルアクリレート、ウレタンアクリレート、エポキシアクリレート、ポリエステルメタクリレート、ウレタンメタクリレート、エポキシメタクリレートを使用することができる。
また、熱硬化性樹脂としては、例えば、ウレタン樹脂、エポキシ樹脂、アルキッド樹脂等を使用することができる。
そして、上記樹脂を紙製基材に塗布する手段は、ロールコータ、リバースコータ、グラビアコータ等が挙げられる。
【００１７】
本実施例は、対向する面状部材１１，１２によって形成される空間に粒状若しくは粉状の小充填物を収納してもよい。
【００１８】
尚、前記パネル体２０として家屋の壁構造や床構造に配設されるパネル体を構成しているが、例えば、ベッド、扉体の一部として用いる構成、倉庫の一部として用いる構成とするなどに適用することが可能となった。
【図面の簡単な説明】
【００１９】
【図１】パネルシートの実施形態を示す説明図である。
【図２】パネルシートの他の実施形態を示す説明図である。
【図３】パネル体の実施形態示す説明図である。
【図４】パネル体を配設した家具の使用状態説明図である。
【符号の説明】
【００２０】
１０・・・紙製基材
１１・・・紙製パネルシート
１２、１３・・・面状部材
１５・・・補強部材
２０・・・パネル体
【図１】
2009256874.tif 000003
【図２】
2009256874.tif 000004
【図３】
2009256874.tif 000005
【図４】
2009256874.tif 000006
(57)【要約】      （修正有）【課題】雨の日に親子で自転車に乗るとき、着脱が簡単で、子供用窓をつけたポンチョを提供する。【解決手段】ポンチョの前見ごろ１、後ろ身ごろ２に透明な生地３で窓を設けた親子ポンチョを特徴とする。【選択図】図１
2009256848.tif 000002
【特許請求の範囲】
【請求項１】
ポンチョの前見ごろ、後ろ見ごろに子供用の窓を設けることを特徴とする窓付きポンチョ。
【発明の詳細な説明】
【技術分野】
【０００１】この発明は、雨の日に親子で自転車に乗れる窓付きポンチョに関するものである。
【背景技術】
【０００２】雨天時に安全に自転車に乗るには雨水に濡れることを防ぐレインコ−トやポンチョの着用がよいが従来、レインコートやポンチョは一人につき一着必要であった。
【発明の開示】
【発明が解決しようとする課題】
【０００３】これは次のような欠点があった。
（イ）雨の日に親子で自転車に乗る場合レインコ−トやポンチョは一人につき一着必要であった。
（ロ）着脱に時間がかかり簡単でない。
（ハ）子供用自転車ヘルメットが従来のレインコ−トのフ−ドに入らない。
本発明は、以上のような欠点をなくすためになされたものである。
【課題を解決するための手段】
【０００４】（イ）親子ではいれる大きさにする。
（ロ）着脱を簡単にするためボタンを使用しないポンチョの形にする。
（ハ）ポンチョの前身ごろ（１）、後ろ身ごろ（２）に透明な生地（３）で子供の頭部の位置にあわせ窓を設ける。
本発明は、以上の構成よりなる窓付きポンチョである。
【発明の効果】
【０００５】（イ）親子で入れる大きさのポンチョなのでボタンをはずす手間が省け、子供用自転車ヘルメットも使用できる。
（ロ）子供は頭部の位置に窓がついているので、外の景色が見られて退屈しない。
（ハ）親は窓から子供の様子が見れる。
【発明を実施するための最良の形態】
【０００６】以下、本発明を実施するための最良の形態について説明する。
ポンチョを自転車に乗車時の親子が充分入れる大きさにする。
ポンチョの前身ごろ（１）、後ろ身頃（２）に透明な生地（３）で窓を設ける。
本発明は以上のような構造である。
これを使用するときは、子供を自転車の座席に座らせこれを着用した親が子供を覆えばいい。
【図面の簡単な説明】
【０００７】
【図１】本発明の側面図である。
【符号の説明】
【０００８】１  前身ごろ
２  後ろ身ごろ
３  透明な生地
【図１】
2009256848.tif 000003
(57)【要約】【課題】  ニット帽子を洗濯した後に型崩れなく乾燥しやすく綺麗にコンパクトに収納出来る、帽子用ハンガーを提供する。【解決手段】  長尺の細い棒を縦長の長方形に形成し下方部を半円形また、ハート型に折り曲げた上部の中央部に吊下部を設けたハンガー本体の中間部を前方へ水平上に折り曲げ、更に所定の間隔の折曲部をおいて上方へ折り曲げて折返部を設けた、また、折返部を複数個設けた、ことを特徴とする帽子用ハンガー。【選択図】図１
2009256850.tif 000002
【特許請求の範囲】
【請求項１】
長尺の細い棒を縦長の長方形に形成し下方部を半円形に折り曲げた上部の中央部に吊下部を設けたハンガー本体の中間部を前方へ水平上に折り曲げ、更に所定の間隔の折曲部をおいて上方へ折り曲げて折返部を設けたことを特徴とする帽子用ハンガー。
【請求項２】
縦長の長方形に形成したハンガー本体に複数個の折返し部を設けたことを特徴とする帽子用ハンガー。
【請求項３】
長尺の細い棒の先端部分をハート型に形成し折り曲げた上部分の中央部に吊下部を設けたハンガー本体の中間部を前方へ水平上に折り曲げ、更に所定の間隔の折曲部をおいて上方へ折り曲げて折返部を設けたことを特徴とする帽子用ハンガー。
【請求項４】
ハート型に形成したハンガー本体に複数個の折返し部を設けたことを特徴とする帽子用ハンガー。
【発明の詳細な説明】
【技術分野】
【０００１】  本発明は、ニット帽子を収納し易く、洗濯などで濡れた際に乾燥させやすくするための、帽子用ハンガーに関するものである。
【背景技術】
【０００２】  従来は、ニット帽子専用の収納グッズが無かった為に、収納する際や洗濯で乾燥する際には、平らな場所に置いたり、また洗濯バサミやフックなどを使って吊るしたりしていた。
【発明の開示】
【発明が解決しようとする課題】
【０００３】  そのために次のような問題点があった。
（イ）洗濯などで濡れたニット帽子を乾かす際、洗濯バサミやフックなどを使用すると、型崩れの原因になったり、洗濯バサミの跡がついたりしていた。また、平らな場所に平干しすると、ニット帽子の内側の部分が乾き難くかった。
（ロ）収納の際も平らな場所に置いておくと、収納スペースが取られ、またフックなどにひっかけるとニット帽子には芯が無い為にだらりとぶら下がり見た目にも、すっきりとした綺麗な収納には見えなかった。
本発明は、以上の問題点を解決するためになされたものである。
【課題を解決するための手段】
【０００４】  長尺の細い棒を縦長の長方形に形成し下方部を半円形に折り曲げた上部の中央部に吊下部を設けたハンガー本体の中間部を前方へ水平上に折り曲げ、更に所定の間隔の折曲部をおいて上方へ折り曲げて折返部を設け又、ハート型の折返部を複数個設けたことを特徴とする帽子用ハンガーである。
【発明の効果】
【０００５】  洗濯したのち、型崩れ又乾燥しやすく折返部が帽子の内側に入ることで空気が入りやすく、又乾燥に使用した状態で収納が型崩れなくできる。
【発明を実施するための最良の形態】
【０００６】  以下、本発明の実施の形態について説明する。
長尺の細い棒を縦長の長方形に形成し下方部を  半円形に折り曲げた上部の中央部に吊下部（１）を設けたハンガー本体（２）の中間部を前方へ水平上に折り曲げ、更に所定の間隔の折曲部（３）をおいて上方へ折り曲げて折返部を設けた。
本発明は以上のような構造で、これを使用するときは、ハンガー本体（１）に設けた折返し部部分に、ニット帽子（４）を被せ収納する。
【実施例】
【０００７】  長尺の細い棒を縦長の長方形に形成し下方部を半円形に折り曲げた上部の中央部に吊下部（１）を設けたハンガー本体（２）の中間部を前方へ水平上に折り曲げ、更に所定の間隔の折曲部（３）をおいて上方へ折り曲げて折返部を複数個、設けた。
本発明は以上のような構造で、これを使用するときは、ハンガー本体（１）に設けた折返し部部分に、ニット帽子（４）を被せ収納する。【０００８】  長尺の細い棒を縦長の長方形に形成し下方部をハート型（５）に折り曲げた上部の中央部に吊下部（１）を設けたハンガー本体（２）の中間部を前方へ水平上に折り曲げ、更に所定の間隔の折曲部（３）をおいて上方へ折り曲げて折返部を設けた。
本発明は以上のような構造で、これを使用するときは、ハンガー本体（１）に設けた折返し部部分に、ニット帽子（４）を被せ収納する。
【図面の簡単な説明】
【０００９】
【図１】本発明の斜視図
【図２】本発明の使用状態を示す斜視図
【図３】本発明の折返し部を複数個設けた斜視図
【図４】本発明の折返し部を複数個設けた使用状態を示す斜視図
【図５】本発明のハート型に形成した斜視図
【符号の説明】
【００１０】  １  吊下部
２  ハンガー本体
３  折曲部
４  ニット帽子
５  ハート型
【図１】
2009256850.tif 000003
【図２】
2009256850.tif 000004
【図３】
2009256850.tif 000005
【図４】
2009256850.tif 000006
【図５】
2009256850.tif 000007
(57)【要約】【課題】  遠心力を偏らせて浮上力を発生できる反重力装置を実現する。【解決手段】  質量ｍ（ｋｇ）の質点が、角速度ω（ｒａｄ／ｓ）で、半径ｒ（単位はメートル、ｔを時間（単位は秒）として、０＜ωｔ＜πのときｒ＝ｒ１、π＜ωｔ＜２πのときｒ＝ｒ２、ただしｒ１＞ｒ２であるものとする）の、半径の異なる半円を二つ組み合わせたような準円軌道に沿って等角速度回転運動するとき、遠心力は偏り、Ｆ＝ｍω（ｒ１−ｒ２）／πとなる推進力Ｆ（Ｎ）が、半径ｒ２の半円から半径ｒ１の半円を見る方向に発生する。【選択図】図１
2009197775.tif 000002
【特許請求の範囲】
【請求項１】
Ｍ；質量ｍ（ｋｇ）の質点
ω；角速度（ｒａｄ／ｓ）
ｒ１；弧の半径（ｍ）
ｒ２；弧の半径（ｍ）、但しｒ１＞ｒ２
Ａ１；半径ｒ１の弧の形をした下弦の軌道
Ａ２；半径ｒ２の弧の形をした上弦の軌道
Ｂ１；Ａ１とＡ２を結ぶ任意形状の軌道
Ｂ２；Ａ１とＡ２を結ぶ任意形状の軌道
以上のように定義されたＭ、ω、ｒ１、ｒ２、Ａ１、Ａ２、Ｂ１、Ｂ２について、ＭをＡ１→Ｂ１→Ａ２→Ｂ２（→Ａ１）の順に各軌道上を運動させ、Ａ１とＡ２上では角速度ωの回転運動をし、Ｂ１上で減速、Ｂ２上で加速を行うようにすることで、発生する遠心力を一方向に偏らせるようにした装置。
【発明の詳細な説明】
【技術分野】
【０００１】  本発明は、浮上用推進装置に属する。
【背景技術】
【０００２】  独自技術である。
【発明の開示】
【発明が解決しようとする課題】
【０００３】  遠心力を偏らせることによる反重力装置を実現する。
【課題を解決するための手段】
【０００４】  質量ｍ（ｋｇ）の質点が、角速度ω（ｒａｄ／ｓ）で、半径ｒ（単位はメートル、ｔを時間（単位は秒）として、０＜ωｔ＜πのときｒ＝ｒ１、π＜ωｔ＜２πのときｒ＝ｒ２、ただしｒ１＞ｒ２であるものとする）の、半径の異なる半円を二つ組み合わせたような準円軌道に沿って等角速度回転運動するとき、遠心力は偏り、Ｆ＝ｍω（ｒ１−ｒ２）／πとなる推進力Ｆ（Ｎ）が、半径ｒ２の半円から半径ｒ１の半円を見る方向に発生する。【０００５】  この浮上力発生の原理では、空中に静止したまま一定の浮上力を維持するのに、構造を工夫すれば、摩擦などによる損失以外、エネルギーの消費が発生しない。
そこで、重力制御と推進の両面に利用可能な、宇宙空間でも利用できる理想的な浮上力・推進力発生の原理となる。
【発明の効果】
【０００６】  衛星打ち上げ用のロケットやヘリコプター、航空機、船舶などで、浮上用及び推進用の装置として利用できる。
特に宇宙開発用の航空機では、重力制御技術として、機体の安全性の向上が期待できる。
【発明を実施するための最良の形態】
【０００７】  従来、航空機や船舶には、出力に応じた巨大な推進装置が取り付けられてきた。
しかし、これは安全性の面で問題があり、一つしか取り付けられていない巨大な装置が故障すれば、直ちに機体の停止につながる致命的な欠陥となりえた。また、巨大であればあるほど、メンテナンスもコスト・時間両面において費用がかさむ。
それに対し、本発明の装置では、小型のものを複数取り付けて出力を上げることにより、その中の一つが故障してもその一つを交換するだけでメンテナンスが済む。特に航空機では、この方法で取り付けることにより、飛行中に一つが故障しても残りの装置で飛び続けられるようにできるので、安全性が向上する。この安全性は、取り付けられる本発明の装置の数が必要な出力に対してより細分化されるほど、向上する。
【実施例】
【０００８】  図１に、錘を利用するタイプの本発明の装置の概念図を示す。
この装置では、２の周りに８個の１が２個ずつ組にして取り付けられており、２と一緒に回転して３を介して４を動かす仕組みになっている。３と４は、回転数の比が１：８になっている（３が１回転すると４が８回転する）。
２が１と共に図面向かって左回りに回転すると、４が逆向きに回転して、飛び出ている方の１を押して引っ込ませ、反対にその１と組になっている反対側の１が飛び出て回転の軌道の半径が入れ替わる。
これにより、常に１の回転の半径は上側が大きくなり、遠心力が上に偏る。
４にはずみ車を取り付け、図中見えている側とは反対側（装置の図面向かって右側の１に隠れた部分）にも４を取り付けることで、図面向かって左側の４が１を押し込む際に１に与える動径に沿う方向の運動エネルギーを回収し、損失の少ない構造にするのが望ましい。
尚、１を中空にして液体に浮かぶようにし、その液体とこの装置を一体化させ、その液体中でこの装置を回転させるようにすると、発生する力の向きは逆向き（図面向かって下向き）になる。
その場合、質点は中空の錘の動径に沿った方向への移動によって移動する液体がそれに当たる。【０００９】  図２に、軌道に沿って質点が運動するようにした本発明の装置の概念図を示す。
５は、半径ｒ１（ｍ）の半円と半径ｒ２（ｍ）の半円、そしてこれら二つの半円を繋ぐ部分から成る質点の軌道である。
５に沿って１を動かし、半径ｒ１（ｍ）の半円（５の上部）上と半径ｒ２（ｍ）の半円（５の下部）上で同じ角速度になるようこれらを繋ぐ部分で加速と減速を行うと、遠心力が図面向かって上向きに偏る。
具体的には、図面向かって反時計回りに１が運動する場合、半円部分での回転運動の角速度をω（ｒａｄ／ｓ）とすると、上部の半円軌道上では速度ｖ１＝ｒ１ω（ｍ／ｓ）、下部の半円軌道上では速度ｖ２＝ｒ２ω（ｍ／ｓ）となるので、これら二つの半円部分を繋ぐ部分では、左側で減速、右側で加速を行うことにより、遠心力を上向きに偏らせることができる。
【産業上の利用可能性】
【００１０】  反重力機の浮上用装置として、また、船舶も含めて一般的な輸送装置用の推進装置として利用可能である。
これらの商品が開発されることにより、より安全性・安定性の高い輸送が可能になる。
【図面の簡単な説明】
【００１１】
【図１】  錘を中心軸に沿って回転させることにより遠心力を偏らせるようにした、本発明の装置の立体概念図である。
【図２】  長さの異なる二種類の軌道を分離し、回転ではなく曲線に沿った運動によって遠心力が偏るようにした本発明の装置の立体概念図である。
【符号の説明】
【００１２】  １  錘
２  回転の中心軸
３  ２に取り付けられた歯車
４  クランク
５  質点が運動するための軌道
【図１】
2009197775.tif 000003
【図２】
2009197775.tif 000004
(57)【要約】【課題】  関節を持つ機械の軽量化と、慣性モーメントの軽減による動作の高速化を、ワイヤーを使った、制御のしやすい非干渉機構によって実現する。【解決手段】  一定の屈曲角比で２段に渡って同一方向に屈曲する関節３に、ワイヤー６の巻き付き弧長の変化が等しくなるよう、屈曲角比の逆比の径を持つ滑車１，２を２つの屈曲軸に配置し、ワイヤー６をたすき掛け状に通すことにより、関節の屈曲時、一方の滑車からほどけたワイヤー６の長さ分が、他方の滑車に巻き付くため、ワイヤー６の繰り出し長に変化がなく、駆動力および変位において、関節３の駆動とワイヤー６の駆動が非干渉となる。【選択図】図１
2009197992.tif 000002
【特許請求の範囲】
【請求項１】
一定の屈曲角比で２段に渡って同一方向に屈曲する関節において、ワイヤーの巻き付き弧長の変化が等しくなるよう、屈曲角比の逆比の径を持つ滑車を２つの屈曲軸に配置し、ワイヤーをたすき掛け状に通すことにより、関節の屈曲時、一方の滑車からほどけたワイヤーの長さ分が、他方の滑車に巻き付くため、ワイヤーの繰り出し長に変化がなく、駆動力および変位において、関節の駆動とワイヤーの駆動が干渉しないことを特徴とする非干渉駆動機構。
【発明の詳細な説明】
【技術分野】
【０００１】  本発明は、関節を持つ機械における軽量化および動作の高速化に関する。
【背景技術】
【０００２】  多数の関節により複雑な動作をする機械では、各関節の自由度に対応して駆動するモーターが増加するため、慣性モーメントが大きくなり、制御や動作の高速化が難しくなる。特にロボットハンドのように、先端部に多くの自由度を持つ機械では、慣性モーメントの増大の影響が著しい。
【発明の開示】
【発明が解決しようとする課題】
【０００３】  慣性モーメントを低減するには、モーターを基盤部に近い位置に配置し、軽量なワイヤーを用いて力を伝達するのが有効である。しかし、関節の先にある部分をワイヤーで駆動しようとすると、関節の屈曲角を変えるとき、ワイヤーの張力や繰り出し長に変化が生じるため、保持していたものに余計な力が加わったり、落としたりする可能性があった。
また逆に、ワイヤーの張力が関節の屈曲角を変えるように働いてしまい、制御が困難になっていた。
【課題を解決するための手段】
【０００４】  本発明では、関節の屈曲によるワイヤーの繰り出し長への影響を相殺することにより、関節の駆動とワイヤーの駆動が非干渉な機構を実現する。
図１に本発明の構成をしめす。関節３は２段になって屈曲し、その角度比は歯車４，５によって保たれる。この２つの屈曲軸に滑車１，２を配置し、たすき掛け状にワイヤー６を通して、モーター１０に接続されたリール７でワイヤー６を巻き取ることにより、関節３の先にある指８を閉じるように駆動し、ワイヤー６を繰り出すことにより、バネ１３によって指８を開く。関節３の屈曲はモーター９からのリンク１１により、結合フレーム１２を駆動しておこなう。
図２に本発明の動作について説明する。図２（ａ）は腕が一直線に伸びている状態である。網掛け部はワイヤーが巻き付いている滑車の弧長をしめす。図２（ｂ）は関節３が屈曲した状態である。屈曲比は１：１であるため、滑車１ではθ分だけほどけ、滑車２でもθ分だけほどけるが、指８側で２θ分だけ巻き付くので、リール７からのワイヤー６の繰り出し長に変化はない。同様に関節３の屈曲角比が１：２のとき、滑車１，２の径はその逆比、すなわち、歯車４，５の歯数比と同じにしておくことにより、滑車１では２θ分ほどけ、滑車２ではθ分ほどけ、指８側で３θ分巻き付くので繰り出し長に変化はない。
なお、変位が非干渉のとき、駆動力も非干渉となることは明示である。
【発明の効果】
【０００５】  このように本発明によれば、お互いの駆動力や変位が干渉することなく、制御が容易な機構を実現でき、機械の軽量化，慣性モーメントの低減による動作の高速化が図れる。
【発明を実施するための最良の形態】
【０００６】  本発明は、複数の自由度を持つ関節の駆動にも有効である。
【実施例】
【０００７】  図３に本発明の実施例をしめす。結合フレーム１２を駆動する１自由度目のワイヤー６ａと、出力フレーム１４を駆動する２自由度目のワイヤー６ｂによって動作する。出力フレーム１４部も２段屈曲にして滑車を追加すれば、さらに先の部分をワイヤーを通すことで駆動することができる。
非干渉の効果は滑車にワイヤーが巻き付いている状態でのみ発生するので、関節の可動角を大きくするときには、ワイヤーが滑車から外れないよう、屈曲軸の間隔に対して滑車の径を大きくとる、または関節を一直線にせず、あらかじめ巻き付き角を大きくとっておく、などの配慮をおこなう。
【図面の簡単な説明】
【０００８】
【図１】  本発明の構成図である。
【図２】  本発明の動作図である。
【図３】  本発明の実施例の構成図である。
【符号の説明】
【０００９】  １，２．          滑車
３．              関節
４，５．          歯車
６，６ａ，６ｂ．  ワイヤー
７．              リール
８．              指
９，１０．        モーター
１１．            リンク
１２．            結合フレーム
１３．            バネ
１４．            出力フレーム
【図１】
2009197992.tif 000003
【図２】
2009197992.tif 000004
【図３】
2009197992.tif 000005
(57)【要約】      （修正有）【課題】重力鉄道のトンネルの建設費を従来のものより少なくする。【解決手段】トンネルを通常のトンネルのように最初から最後まで同じ大きさで造るのではなく、列車がその場所を通過するスピードを考え、遅い上部の部分ではかなり小さく、だんだん大きくし、最高速度が出る最下部の水平ラインで最大になるようなトンネル構造にする。【選択図】なし【特許請求の範囲】
【請求項１】
地下に造るジェットコースター形式の鉄道用のトンネルに於いて、その断面積が、上部駅付近は小さく、徐々に大きくなり下部水平部で最大なっていること特徴とする重力鉄道用のトンネル構造。
【発明の詳細な説明】
【技術分野】
【０００１】本発明は鉄道の一種である重力鉄道用のトンネルの構造に関するものである。
【背景技術】
【０００２】重力鉄道のトンネルは、車両の断面積との兼ね合いで、その太さをどうするかということしか考えていなかった。
【発明の開示】
【発明が解決しようとする課題】
【０００３】トンネル工事には莫大な費用がかかるため、同じ性能なら出来るだけその建設費を縮小したいものである。
【課題を解決するための手段】
【０００４】  トンネルを通常のトンネルのように最初から最後まで同じ太さで、造るのではなく、列車がその場所を通過するスピードを考え、遅い上部の部分では、かなり小さく、だんだん大きくし、最高速度が出る、最下部の水平ラインで最大になるように造る。
【発明の効果】
【０００５】  建設コストが安価になることが最大の効果である。駅付近、下降はじめの部分は時速数十キロと速度が緩やかなので、トンネルの径は小さくとも、空気抵抗はあまり大きくない。時速数百キロというような高速になる下部ではトンネルの太さがかなり大きくなるので、この部分の空気抵抗が和らぐ。トンネル内の空気の動きは複雑であるが、トンネルが太いほど、走行抵抗が少ない。太く造る部分が、建設しやすい、水平、またはそれに近い勾配の部分ということも、経費削減につながる。
このようなことをするのは重力鉄道では、走る部分の深さによって、一律に列車のスピードがきまっているからである。これが通常のトンネルとは大きく異なる。
【発明を実施するための最良の形態】
【０００６】  駅からすぐ入る部分では、列車進行方向に垂直な断面積が、トンネルは列車の２〜３倍程度で、そこからだんだん太くなり、最下部では５〜６倍程度まで大きくする。これは、必ずしも連続的に広げなければならないということではない。建設のやりやすさによって、数段階に分けて広げていっても、効果としてはそれほど劣るものではない。列車に対するこの断面積の比にはここではあまり意味を持たない。なぜなら、同じトンネルを走るにしても、列車をごく小型のものにしたら、列車対トンネルの断面積の比は大きく異なってしまうからである。ここで問題にしているものは、トンネル自体の太さの変化である。
このトンネルの太さを大きくする比率でも、一概には数字を挙げることはできない。なぜならそれは建設するトンネルの掘り込み深さによっても、大きく異なるからである。たとえば時速３６０ｋｍにもなってしまう、５００ｍの深さのものでは、始まりの部分は同じでも、最下部では、時速１６０ｋｍ程度の、掘り込み深さ１００ｍのものよりも、大きくしたほうが良いことはあきらかであるからである。
(57)【要約】【課題】本発明は、敷き設容易な両面使用可能なブロック材の提供にある。【解決手段】本発明は、直角を形成する２つの壁面からなるブロック枠体と、当該壁面の中心に水平に設けられた矩形のブロック受け台からなり、当該ブロック受け台には前記壁面に設けた孔部に挿入する突部が設けられ、前記ブロック受け台の両面に互いに異なるブロックをその表面が外側になるように張り付けた両面使用可能なブロックである。  施工性の向上のため、ブロック枠体とし、接続部をブロック枠体に設け、両面のブロックを枠体の中心面の裏表に張り付けた。【選択図】図３
2009197507.tif 000002
【特許請求の範囲】
【請求項１】
直角を形成する２つの壁面からなるブロック枠体と、当該壁面の中心に水平に設けられた矩形のブロック受け台からなり、当該ブロック受け台には前記壁面に設けた孔部に挿入する突部が設けられ、前記ブロック受け台の両面に互いに異なるブロックをその表面が外側になるように張り付けた両面使用可能なブロック。
【発明の詳細な説明】
【技術分野】
【０００１】
本発明は、裏表両面のいずれも使用可能な床材技術に属する。
【背景技術】
【０００２】
従来より、一方の面を畳とし他方の面をカーペットとした床材が開発されている。この種の両面使用可能な床材は、表裏をひっくり返して畳表とカーペット面を使い分けるため、ひっくり返し作業を軽減するため、床材を薄くし軽量化を図る必要がある。床材を薄くすると上記作業中に床材が撓み、作業しにくくなる問題があった。
特開2000-179129には繊維樹脂強化シートなどの中心材の両面にそれぞれ異なる表面材を使用した両面使用床材が提案されている。
特開2004-52326には基板の両面にそれぞれ化粧シートを接着し、化粧シートにそれぞれ異なる意匠を施したものが開示されている。
【０００３】
いずれの床材も長尺で重量もあり裏表の切り替え作業は重量動であった。
【０００４】
【特許文献１】特開2000-179129
【特許文献２】特開2004-52326
【発明の開示】
【発明が解決しようとする課題】
【０００５】
本発明は、敷き設容易な両面使用可能なブロック材の提供にある。
【課題を解決するための手段】
【０００６】
本発明は、直角を形成する２つの壁面からなるブロック枠体と、当該壁面の中心に水平に設けられた矩形のブロック受け台からなり、当該ブロック受け台には前記壁面に設けた孔部に挿入する突部が設けられ、前記ブロック受け台の両面に互いに異なるブロックをその表面が外側になるように張り付けた両面使用可能なブロックである。施工性の向上のため、ブロック枠体とし、接続部をブロック枠体に設け、両面のブロックをブロック枠体の中心面であるブロック受け台の裏表に張り付けた。
【発明の効果】
【０００７】
接続部を有するブロック枠体としたため、前後左右の接続が容易となる。ブロック枠体壁面の中心に矩形のブロック受け台を水平に設けたため、異なる意匠のブロックをそれぞれブロック受け台の裏表両面に張り付けることできる。
【発明を実施するための最良の形態】
【０００８】
以下、本発明を図によって、より詳細に説明する。
図１はブロック枠体の概念図である。図１ａは、その斜視図、図１ｂは平面図、図１ｃは、平面図におけるA-A'断面図である。
図に示すように、本ブロック枠体は、直角の壁面と当該壁面の中心に水平に設けたブロック受け台からなる。壁面及びブロック受け台には、互いに縦横に連結するための連結部が設けられている。ブロック受け台に設けた連結部は、外方向に突出する突部で図では各縁部に3箇所設けられており、壁面にはブロック受け台に設けた突部に対応した位置に突部が挿入可能な孔部が設けられている。
ブロック受け台にはブロックをバインダー張り設するための凹部が5箇所設けられている。連結部の形状、位置、大きさなど適宜変更できる。ブロックをブロック受け台に張り設する手段もバインダーによらず既存の手段が使用できる。
【０００９】
図２は、ブロック枠体にブロックを2枚張り設した状態を示す概念図である。
図２ａは、その斜視図、図２ｂは、平面図、図２ｃは、平面図におけるA-A'断面図である。
【００１０】
図３は、両面使用可能なブロックのそれぞれの面を示す概念図である。図に示すように、ブロックのそれぞれの面に意匠が施され、季節に応じ、あるいは行事に応じてその面を変更して使用できるものである。
【００１１】
図４は、本両面使用ブロックを床材あるいはフローリングとして使用する概念図である。図では全て同じ面で統一されているが、2種類の異なる意匠を組み合わせて別異の意匠とすることもできる。
【００１２】
ブロック枠体の材質は木製、プラスチック製など使用可能であり、ブロックの材質も木製、石製、陶製など適宜使用できる。
【図面の簡単な説明】
【００１３】
【図１】は、ブロック枠体の例を示す概念図である。
【図２】は、両面使用ブロックの例を示す概念図である。
【図３】は、両面使用ブロックの裏表を示す概念図である。
【図４】は、両面ブロックを敷き設した状態を示す概念図である。
【符号の説明】
【００１４】
１  両面使用ブロック
２  ブロック枠体
２１  壁面
２２  孔部
３  ブロック受け台
３１  突部
３２  バインダー張り用凹部
４  ブロック
【図１】
2009197507.tif 000003
【図２】
2009197507.tif 000004
【図３】
2009197507.tif 000005
【図４】
2009197507.tif 000006
(57)【要約】【課題】  ワイヤーロープの衝撃荷重緩和による衝撃破断強度の向上と温度によるワイヤーロープの弛緩防止。【解決手段】    架設ワイヤーロープの中間部に弾性体をワイヤーロープで挟んだ構造の衝撃緩和装置を取り付ける。ワイヤーロープに衝撃荷重が作用するとワイヤーロープに作用した張力の分散荷重が弾性体を圧縮し、ワイヤーロープの延長を助けるため衝撃を緩和する。又、ワイヤーロープが気温の寒暖差で張力減退を起こす防止装置とする。 【選択図】  図２
2009197527.tif 000002
【特許請求の範囲】
【請求項１】
図２に示す様にワイヤーロープに衝撃的張力が掛かると弾性体２、に圧縮力がかかり変形することにより衝撃荷重を緩和すると共に、予め掛けられた張力により弾性体２、が変形し元に戻ろうとする反力を利用し、張力を保持する構造の衝撃吸収及び張力保持装置。
【発明の詳細な説明】
【技術分野】
【０００１】
ワイヤーロープを用いる業種全般に使用する。
【背景技術】
【０００２】
ここでは落石災害防止につき説明する。落石防止網工のポケット式ロックネットは格子状に架設したワイヤーロープに金網を張り巡らし法面上からの転石をその架設内に呼び込み道路上の通行車両等に及ぼす落石災害を予防するものである。又ワイヤーロープ掛工においては落石をワイヤーロープの張力で法面に押し付けて、転落を防ぐ。
【発明の開示】
【発明が解決しようとする課題】
【０００３】
上記工法のポケット式ロックネットでは呼び込んだ落石をワイヤーロープと金網の強度で落石のエネルギーを吸収して安全を確保する。本案は本来の仕様を変更することなく、落石の吸収エネルギー値を大きく出来ないかとの問題点の解決策である。
又ワイヤーロープ掛工においては夏冬の寒暖差でワイヤーロープに緩みが生じ、法面に押し付ける効果が減退するための解決策となる。
【課題を解決するための手段】
【０００４】
本案はポケット式ロックネットにおいては、添付図面の様にワイヤーロープで弾性体を挟んだ形状として、ワイヤーロープの張力の分散荷重が弾性体を変形させ衝撃荷重が掛かった場合の緩衝装置として作用する構造としている。又、ワイヤーロープ掛工においてはワイヤーロープに予め掛けられた張力が温度変化と共に緩み、落石の保持効果が減退する弱点をカバーしている。
【発明の効果】
【０００５】
落石防止網工、特にポケット式ロックネットにおいては吊ロープに掛かる衝撃荷重が緩和されることによりワイヤーロープの破断荷重が大幅に向上し、金網その他の部品がより経済的なものに変更できる為、経済性の向上が大きい。又、ワイヤーロープ掛工においてはワイヤーロープの弛緩防止に効果を発揮し、季節を問わず一定の緊張力を保持出来る。
【図面の簡単な説明】
【０００６】
【図１】本案の装置状況図（衝撃荷重なし）
【図２】本案の装置状況図（衝撃荷重作用時）
【図１】
2009197527.tif 000003
【図２】
2009197527.tif 000004